(57)【特許請求の範囲】
【請求項１】
時間測定システム（１１）；
前記時間測定システム（１１）に連結されたカレンダーシステム（１３）；並びに
迅速な補正システム（１２）
を含む、時計機構（２１）であって、
前記時間測定システム（１１）及び前記カレンダーシステム（１３）はそれぞれ、少なくとも１つの時間関連値（２）及び少なくとも１つのカレンダー関連値（１４）を表示するためのディスプレイシステム（９）に接続され、
前記迅速な補正システム（１２）は、補正段階中に前記ディスプレイシステム（９）を前記時間測定システム（１１）及び前記カレンダーシステム（１３）に接続したまま、前記少なくとも１つのカレンダー値（１４）を所定のステップ中にいずれの時点において補正するためのものである、時計機構（２１）において：
前記補正システム（１２）は、前記ディスプレイシステム（９）に接続された補正用ホイールセット（２３）と、前記補正用ホイールセット（２３）上で自由に回転できるように設置され、前記時間測定システム（１１）に恒常的に接続された駆動ホイール（２５）と、前記補正用ホイールセット（２３）と前記駆動ホイール（２５）との間の弾性連結手段（２９）とを含み、これにより前記ディスプレイシステム（９）の前記少なくとも１つのカレンダー値（１４）が、前記迅速な補正システム（１２）がアクティブでない場合は前記カレンダーシステム（１３）によって、又は前記迅速な補正システム（１２）がアクティブである場合は前記補正システム（１２）によって、前記時間測定システム（１１）内に応力を誘発することなくシフトされること；並びに
前記弾性連結手段（２９）は、２つの弾性ストリップ（３２、３４）によって前記補正用ホイールセット（２３）の星形車（２４）の歯部に対して押圧される２つの停止部材（３１、３３）を含み、各前記停止部材（３１、３３）が、前記弾性連結手段（２９）の運動を案内するため及び前記駆動ホイール（２５）の運動を前記ディスプレイシステム（９）の前記少なくとも１つのカレンダー値（１４）に伝達するために、前記駆動ホイール（２５）と一体の案内面（３６、３８）と協働するスライダ（３５、３７）を含むこと
を特徴とする、時計機構（２１）。
【請求項２】
前記案内面（３６、３８）は、前記機構の厚さを低減するために前記駆動ホイール（２５）の厚さ内に配設されることを特徴とする、請求項１に記載の機構（２１）。
【請求項３】
前記弾性ストリップ（３２、３４）は曲げられ、それぞれ前記２つの停止部材（３１、３３）が両側に接続されて略環状の部品を形成することを特徴とする、請求項１又は２に記載の機構（２１）。
【請求項４】
前記迅速な補正システム（１２）は更に、前記補正用ホイールセット（２３）に連結された減速デバイス（３９）を含むことを特徴とする、請求項１〜３のいずれか１項に記載の機構（２１）。
【請求項５】
前記減速デバイス（３９）は、エピサイクリック歯車列タイプのものであり、
内側遊星歯車を形成する前記補正用ホイールセット（２３）のピニオン（２６）と、前記ピニオン（２６）と外側遊星歯車（４３）との間に設置された２つの衛星歯車（４０、４２）とは、減速手段を形成する
ことを特徴とする、請求項４に記載の機構（２１）。
【請求項６】
前記減速デバイスは、前記減速手段を形成する少なくとも１つのホイール−ピニオン組立体を含むことを特徴とする、請求項４に記載の機構（２１）。
【請求項７】
前記ディスプレイシステム（９）は、瞬間的又は半瞬間的なドラッギングによるシステムであることを特徴とする、請求項１〜６のいずれか１項に記載の機構（２１）。
【請求項８】
前記所定のステップは、前記補正用ホイールセット（２３）の前記星形車（２４）の歯の数に比例していることを特徴とする、請求項１〜７のいずれか１項に記載の機構（２１）。
【請求項９】
前記少なくとも１つの時間関連値（２）及び／又は前記少なくとも１つのカレンダー関連値（１４）のディスプレイは、針（１５、１６、１７、１８）を用いたタイプのものであることを特徴とする、請求項１〜８のいずれか１項に記載の機構（２１）。
【請求項１０】
前記少なくとも１つの時間関連値（２）及び／又は前記少なくとも１つのカレンダー関連値（１４）の前記ディスプレイは、ディスク（１９）を用いたタイプのものであることを特徴とする、請求項１〜９のいずれか１項に記載の機構（２１）。
【請求項１１】
前記所定のステップは１２時間であることを特徴とする、請求項１〜１０のいずれか１項に記載の機構（２１）。
【請求項１２】
前記所定のステップは２４時間であることを特徴とする、請求項１〜１０のいずれか１項に記載の機構（２１）。
【請求項１３】
請求項１〜１２のいずれか１項に記載の機構（２１）を含むことを特徴とする、時計（１）。
【発明の詳細な説明】
【技術分野】
【０００１】
本発明は、カレンダー情報の迅速な補正のためのシステムに関し、これは最小の容積で、所定のステップ中に補正を実施できる。
【背景技術】
【０００２】
時計学において、ディスプレイシステムは幅広く使用されている。ディスプレイ用に現在使用されている機構は、瞬間的又は半瞬間的なドラッギング機構である。現行のシステムでは、カレンダー等のディスプレイを、表示の変更の付近において補正するのは困難である場合があり、損傷を回避するために安全デバイスを使用する必要がある。更に現行の補正デバイスは、ディスプレイを補正する際に歯車列に応力を発生させる場合がある。
【発明の概要】
【発明が解決しようとする課題】
【０００３】
本発明の目的は、カレンダーディスプレイを、このカレンダーディスプレイが連結された時間測定システム上に応力を生成することなく、いずれの時点において補正できる、極めてコンパクトな迅速な補正又は設定システムを提案することによって、上述の欠点の全て又は一部を除去することである。
【課題を解決するための手段】
【０００４】
この目的のために、本発明は：時間測定システム；上記時間測定システムに連結されたカレンダーシステム；並びに迅速な補正システムを含む、時計機構に関し、上記時間測定システム及びカレンダーシステムはそれぞれ、少なくとも１つの時間関連値及び少なくとも１つのカレンダー関連値を表示するためのディスプレイシステムに接続され、上記迅速な補正システムは、補正段階中にディスプレイシステムを時間測定システム及びカレンダーシステムに接続したまま、上記少なくとも１つのカレンダー値を所定のステップ中にいずれの時点において補正するためのものである。この時計機構は：上記補正システムが、ディスプレイシステムに接続された補正用ホイールセットと、上記補正用ホイールセット上で自由に回転できるように設置され、時間測定システムに恒常的に接続された駆動ホイールと、補正用ホイールセットと駆動ホイールとの間の弾性連結手段とを含み、これによりディスプレイシステムの上記少なくとも１つのカレンダー値が、迅速な補正システムがアクティブでない場合はカレンダーシステムによって、又は迅速な補正システムがアクティブである場合は補正システムによって、時間測定システム内に応力を誘発することなくシフトされること；並びに弾性連結手段が、２つの弾性ストリップによって補正用ホイールセットの星形車の歯部に対して押圧される２つの停止部材を含み、各停止部材が、弾性連結手段の運動を案内するため及び駆動ホイールの運動をディスプレイシステムの上記少なくとも１つのカレンダー値に伝達するために、駆動ホイールと一体の案内面と協働するスライダを含むことを特徴とする。
【０００５】
本発明によると有利には、この補正又は設定システムは以上のように、時間測定システムの動作に干渉し易い応力を歯車列内に誘発することなく、いずれの時点においてカレンダーディスプレイを補正できることが理解される。補正システムを回転歯車列に連結しても何の問題も発生しないことに特に留意されたい。最後にこの補正システムは、有利なことに極めてコンパクトである。
【０００６】
本発明の他の有利な特徴によると：
−案内面は、上記機構の厚さを低減するために駆動ホイールの厚さ内に配設され；
−弾性ストリップは曲げられ、それぞれ２つの停止部材が両側に接続されて略環状の部品を形成し；
−迅速な補正システムは更に、補正用ホイールセットに連結された減速デバイスを含み；
−減速デバイスは、エピサイクリック歯車列タイプのものであり、内側遊星歯車を形成する補正用ホイールセットのピニオンと、上記ピニオンと外側遊星歯車との間に設置された２つの衛星歯車とが減速手段を形成し；
−減速デバイスは、減速手段を形成する少なくとも１つのホイール−ピニオン組立体を含み；
−ディスプレイシステムは、瞬間的又は半瞬間的なドラッギングによるシステムであり；
−上記所定のステップは、補正用ホイールセットの星形車の歯の数に比例しており；
−上記少なくとも１つの時間関連値及び／又は上記少なくとも１つのカレンダー関連値のディスプレイは、針を用いたタイプ又はディスクを用いたタイプのものであり；
−上記所定のステップは１２時間又は２４時間である。
【０００７】
更に本発明は時計に関し、この時計は、上述の変形例のいずれかによる機構を含むことを特徴とする。
【０００８】
他の特徴及び利点は、添付の図面を参照して非限定的な例示として挙げた以下の説明から明らかになるであろう。
【図面の簡単な説明】
【０００９】
【図１】図１は、本発明による時計の図である。
【図２】図２は、本発明による機構の機能図である。
【図３】図３は、本発明による機構の一部の上面斜視図である。
【図４】図４は、本発明による機構の一部の底面斜視図である。
【図５】図５は、本発明による機構の一部の底面図である。
【図６】図６は、図５の軸VI−VIに沿った断面図である。
【図７】図７は、図５の分解立体図である。
【発明を実施するための形態】
【００１０】
図２に図示した例は、本発明による機械的部品１の概略図である。これはケース３を含み、このケース３の内部には、少なくとも１つの制御部材７によって制御される機械式ムーブメント５が設置され、上記制御部材７は好ましくはケース３から突出し、機械的部品１のディスプレイデバイス９の補正又は設定を可能とする。
【００１１】
本発明による機構２１は、ムーブメント５、ディスプレイシステム９、迅速な補正又は設定システム１０、１２を含む。図２に図示した例では、ムーブメント５は、時間又はカレンダー関連情報を表示するよう構成されたディスプレイシステム９に機械的に接続された測定システム１１、１３を含む。測定システム１１、１３は、迅速な補正又は設定システム１０、１２を含み、この迅速な補正又は設定システム１０、１２は、補正段階中にディスプレイシステム９を測定システム１１、１３に接続したまま、時間又はカレンダー関連情報の上記ディスプレイ２、１４を、所定のステップ中にいずれの時点において補正又は設定できる。
【００１２】
上述のように、測定システム１１、１３は、時間又はカレンダー関連情報を表示するシステムに限定されない。従って例えば、本発明によると有利には、以下に説明する補正又は設定システム１０、１２は、水深若しくは海抜といった高度又は温度でさえある非時間関連データを表示する測定システムにも適用できる。
【００１３】
例えばこの機構２１は時計ムーブメント５を含んでよく、即ちこの機構２１は、時間２を表示するための時間測定システム１１と、時間測定システム１１に接続された、カレンダー値を表示するよう構成されたカレンダーシステム１３とを含む。時間測定システム１１は、時間ディスプレイ２の可動部品を駆動するよう構成される。図１、２に図示した例では、機械的部品１は時計である。時計１のディスプレイシステム９は、可動針４、６、８及びインデックスを有するタイプの時間ディスプレイ２を含む。時間測定システム１１はまた、制御部材７を作動させることによってディスプレイ２の可動部品４、６を修正できる補正又は設定システム１０も含む。
【００１４】
カレンダーシステム１３は、カレンダーディスプレイ１４の可動部品を駆動するよう構成される。図１、２に図示した例では、時計１のディスプレイシステム９は、可動針１５、１６、１７、１８及び／又は開口２０を通したディスク１９を有するタイプのカレンダーディスプレイ１４を含む。カレンダーシステム１３はまた、これもまた制御部材７を作動させることによって又は別の専用の補正用部材によってディスプレイ１４の上記可動部品１５、１６、１７、１８、１９を修正できる、補正又は設定システム１２も含む。従って制御部材７は好ましくは、ムーブメント５の補正システム１０、設定システム１２の両方を制御する。
【００１５】
本発明によると有利には、カレンダーシステム１３及び／又は時間測定システム１１は、いずれも瞬間的又は半瞬間的なドラッギングによる手段である、ディスプレイ手段２、１４を備えることができる。限定するものではないが、カレンダーシステム１３は針１５によって曜日を表示でき、針１６によって日付を表示でき、針１７によって月を表示でき、針１８によって年の種類（うるう年又は年１、２若しくは３）を表示でき、またディスク１９によってムーンフェイズを表示できる。
【００１６】
更に、カレンダーシステム１３は好ましくは、以下に説明する補正又は設定システム１２を備える。しかしながらこれは、時間測定システム１１の補正又は設定システム１０又は時間関連情報若しくは非時間関連情報を測定するための別のシステムに対して完璧に適用できる。
【００１７】
本発明によると有利には、迅速な補正又は設定システム１２により、補正操作中にカレンダー機構の運動と時間の運動との間の関係を維持したまま、即ちディスプレイシステム９をカレンダーシステム１３又は測定システム１１に接続したまま、好ましくは例えば１２又は２４時間等の所定のステップ中に、深夜を含むいずれの時点において、ディスプレイ１４を修正できるようになる。
【００１８】
限定するものではないが、本発明による補正又は設定システム１２を図３〜７に示す。従って、ディスクを用いたムーンフェイズディスプレイ１９に適用される図３〜７の補正又は設定システム１２の例は、異なる種類の所定のステップ及び異なる種類のディスプレイ部材を用いた、それぞれ別の時間関連情報又は非時間関連情報に適用することもできる。
【００１９】
本発明によると好ましくは、補正システム１２は、ムーンフェイズディスク１９で形成されたディスプレイシステム９に接続された補正用ホイールセット２３を含む。図６および図７に更に良好に図示されているように、補正用ホイールセット２３は、ピニオン２６上に嵌合された星形車２４に固定された補正用ホイール２２によって形成される。図３、図４から分かるように、補正用ホイール２２は、補正段階中に制御部材７によって駆動される中間ホイール２８と噛合する。
【００２０】
補正又は設定システム１２は更に、補正用ホイールセット２３上で自由に回転できるように設置された駆動ホイール２５を含む。更に図３、４において提案されているように、駆動ホイール２５は、カレンダーシステム１３の２４時間ホイール２７において中間ホイール３０と噛合する周縁歯部を含む。従って、駆動ホイール２５はカレンダーシステム１３に恒常的に接続されることが明らかである。このようにして、補正又は設定システム１２はカレンダーシステム１３が時間測定システム１１から連結解除されるのを防止し、これにより、ディスプレイ手段１４のムーンフェイズ１９の前進とディスプレイ２の針４、６の前進との間のいずれの不一致を防止する。
【００２１】
最後に補正又は設定システム１２は、補正用ホイールセット２３と駆動ホイール２５との間の弾性連結手段２９を含み、これによりディスプレイシステム９を、カレンダーシステム１３内に応力を誘発することなく、カレンダーシステム１３によって又は補正若しくは設定システム１２によって移動させることができる。
【００２２】
より正確には、弾性連結手段２９は、２つの弾性ストリップ３２、３４によって補正用ホイールセット２３の星形車２４の歯部に対して押圧される２つの停止部材３１、３３を含む。図７の例から分かるように、弾性ストリップ３２、３４は曲げられ、それぞれ２つの停止部材３１、３３が両側に接続されて略環状の部品を形成できる。
【００２３】
更に各停止部材３１、３３は、弾性連結手段２９の運動を案内するため及び駆動ホイール２５の運動をディスプレイシステム１４に伝達するために、駆動ホイール２５の厚さ内に配設された案内面３６、３８と協働するスライダ３５、３７を含む。
【００２４】
好ましい実施形態によると、迅速な補正又は設定システム１２は更に、ムーンフェイズを補正するための十分な精度を得るために、補正用ホイールセット２３に連結された減速デバイス３９を含む。図６、図７から分かるように、減速デバイス３９はエピサイクリック歯車列タイプのものである。よって、補正用ホイールセット２３のピニオン２６は、内側遊星歯車を形成する。２つの衛星歯車４０、４２は、ムーンフェイズディスク１９と一体の衛星歯車ホルダ４１上で枢動可能に設置される。２つの衛星歯車４０、４２は、ピニオン２６と、機構２１の固定要素と一体である外側遊星歯車４３との間で噛合する。
【００２５】
これよりカレンダーシステム１３の動作について説明する。カレンダーシステム１３は、有利には同時に動作できる２つのモード、即ち恒常的な第１のカレンダーディスプレイモードと、これと同時に動作できる第２のカレンダーディスプレイ補正モードとで動作する。両モードにおいて、カレンダーシステム１３及び時間測定システム１１は恒常的に接続されており、これにより、補正モードにおける変化中を含む時間ディスプレイ２に対するカレンダーディスプレイ１４の連続的な移動に関して、一定の関係を維持できることに留意しなければならない。
【００２６】
ディスプレイモードでは、時間測定システム１１は、１日に１回転の速度で２４時間ホイール２７を駆動するカレンダーシステム１３に、経過時間関連情報を提供する。２つの弾性ストリップ３２、３４によって、２つの停止部材３１、３３が補正用ホイールセット２３の星形車２４の歯部に対して押圧されるため、駆動ホイール２５は補正用ホイールセット２３−弾性連結手段２９を中間ホイール３０を介して回転駆動する。
【００２７】
実際には、補正用ホイールセット２３の星形車２４によって同一の回転運動を偶発的に補正用ホイールセット２３に付与して、最終的には減速デバイス３９によってディスプレイシステム９に運動を伝達するために、駆動ホイール２５の厚さ内に配設された各案内面３６、３８は、それぞれ関連するスライダ３５、３７を必要とする。ムーンフェイズディスク１９は衛星歯車ホルダ４１と一体であるため、月齢の進行を示す連続的な回転を行う。
【００２８】
補償モードに変化させるために、制御部材７を作動させて補正又は設定システム１２に作用する。続いて制御部材７は中間ホイール２８を作動させる。補正用ホイール２２及びこれに続く星形車２４によって伝達された中間ホイール２８の運動は、弾性連結手段２９及び特にその停止部材３１、３３を離間するように移動させ、これにより、ディスプレイモードの駆動ホイール２５の連続的な回転に影響を及ぼすことなく、ピニオン２６と一体のディスプレイ１４を補正する目的のために、星形車２４と駆動ホイール２５との間の相対運動を可能とする。有利には、各停止部材３１、３３の運動は、関連する案内面３６、３８におけるスライダ３５、３７の摺動によって案内されることは明らかである。
【００２９】
有利には上述のように、星形車２４の歯の数に応じて、弾性連結手段２９が通過する各歯は、所定のステップ中に補正を実施できる。従って、図７の例における星形車２４の１２個の歯と減速デバイス３９との組み合わせにより、ディスプレイ１４の１回の２４時間ステップを形成できる。そして制御部材７を妨げることによって、弾性連結手段２９は、補正用ホイールセット２３の配向を駆動ホイール２５の配向に対して弾性的に再調整できる。
【００３０】
その結果、本発明によると有利には、ムーンフェイズ１９のディスプレイの例において、ムーンフェイズが２９．５３日のサイクルを有するにも関わらず、星形車２４の歯の数に応じて、１２時間又は２４時間のステップ中に、単一の補正ステップでディスプレイをより簡単に補正できる。
【００３１】
当然のことながら、本発明は図示した例に限定されるものではなく、当業者に明らかな様々な変形例及び代替例が可能である。特に時間関連情報ディスプレイ２又はカレンダー関連情報ディスプレイ１４は、針又はディスクに限定されない。例えばディスプレイはドラムタイプのものであってよい。
【００３２】
また、星形車２４及び／又は減速デバイス３９を修正することによって、情報が時間関連情報であるか非時間関連情報であるかに関わらず、ディスプレイ１４の異なるステップ値を得ることも考えられる。
【００３３】
同様に補正又は設定システム１２の制御部材７は、時間測定システム１１の補正又は設定システム１０とは異なってよく、同様にプッシュピース又はクラウンであってよい。
【００３４】
図７は、上記機構の厚さを低減するために駆動ホイール２５の厚さ内に配設された案内面３６、３８を示す。しかしながら、これらの案内面３６、３８を駆動ホイール２５と一体とすること、即ち案内面３６、３８を突出部品として駆動ホイール２５の上面に追加して固定することも考えられる。
【００３５】
最後に、減速デバイス３９はエピサイクリック歯車又は２つの衛星歯車４０、４２の使用にさえ限定されない。実際には、減速デバイス３９は衛星歯車を１つだけ、又は３つ以上含んでもよい。更に、エピサイクリック歯車を、少なくとも１つのホイール−ピニオン組立体を用いた、より旧式の歯車に置き換えることも全く問題なく可能である。従って、ピニオン２６をディスプレイ１４に直接一体化でき、中間ホイール２８を、星形車２４と駆動ホイール２５との間の各相対運動において所定のステップ中にディスプレイ１４を補正できる減速歯車デバイスとすることができることが分かる。
【符号の説明】
【００３６】
２    時間関連値
９    ディスプレイシステム
１１  時間測定システム
１２  迅速な補正システム
１３  カレンダーシステム
１４  カレンダー関連値
１５  針
１６  針
１７  針
１８  針
１９  ディスク
２１  時計機構
２３  補正用ホイールセット
２４  星形車
２５  駆動ホイール
２６  ピニオン
２９  弾性連結手段
３１  停止部材
３２  弾性ストリップ
３３  停止部材
３４  弾性ストリップ
３５  スライダ
３６  案内面
３７  スライダ
３８  案内面
３９  減速デバイス
４０  衛星歯車
４２  衛星歯車
４３  外側遊星歯車
【図１】
0006021997.tif 000002
【図２】
0006021997.tif 000003
【図３】
0006021997.tif 000004
【図４】
0006021997.tif 000005
【図５】
0006021997.tif 000006
【図６】
0006021997.tif 000007
【図７】
0006021997.tif 000008